(57)【要約】      （修正有）【課題】膨出部と身頃体を接続する部分に着目し、人体へのフィット性を向上させるとともに、着用感に優れた三次元構造体及びこれを用いた衣料を提供する。【解決手段】人体の膨出部を含む部位に着用される衣料に用いられる三次元構造体において、人体の膨出部及び前記膨出部に隣接する隣接部位、並びに前記人体の膨出部と前記隣接部位との間に位置する連接部の形状を三次元的に解析し、前記三次元的に解析された前記人体の膨出部の形状に補正を加えた形状に形成された膨出体部４１と、前記三次元的に解析された前記人体の膨出部に隣接する隣接部位の形状に基づいて形成された身頃体部４３と、前記衣料の着用時に変形して前記身頃体部の前記膨出体部に隣接する部位の形状を前記膨出体部の形状に一致させるか又は前記膨出体部に対して補正力を作用させる連接体部４６とを備えるように構成した。【選択図】図１
2013185259.tif 000002
【特許請求の範囲】
【請求項１】
人体の膨出部を含む部位に着用される衣料に用いられる三次元構造体において、
人体の膨出部及び前記膨出部に隣接する隣接部位、並びに前記人体の膨出部と前記隣接部位との間に位置する連接部の形状を三次元的に解析し、
前記三次元的に解析された前記人体の膨出部の形状に補正を加えた形状に形成された膨出体部と、
前記三次元的に解析された前記人体の膨出部に隣接する隣接部位の形状に基づいて形成された身頃体部と、
前記衣料の着用時に変形して前記身頃体部の前記膨出体部に隣接する部位の形状を前記膨出体部の形状に一致させるか又は前記膨出体部に対して補正力を作用させる連接体部とを備えたことを特徴とする三次元構造体。
【請求項２】
前記三次元構造体は、当該三次元構造体が用いられる衣料の前身頃体の少なくとも一部を構成し、前記三次元構造体の左右両側には、後身頃体が配置されていることを特徴とする請求項１に記載の三次元構造体。
【請求項３】
前記三次元構造体は、前記膨出体部を含む必要部位にバストを支え移動を促進するパッド体、又はバスト容量を補うパッド体、或いは芯体からなる少なくとも１枚以上から構成される裏当て及び／又は表当て部材を備えていることを特徴とする請求項１又は２に記載の三次元構造体。
【請求項４】
前記三次元構造体は、女性のバストに着用するバストカップ体からなり、前記バストカップ体は、前記女性のバストの下方に位置する下辺連接体部を、当該下辺連接体部に相当する三次元的に解析された前記女性のバストの下辺の長さより縮小をして形成し、前記縮小して形成された下辺連接体部は、前記三次元構造体を用いた衣料を着用したときに伸張するか、又は当該下辺連接体部に相当する前記女性のバストに隣接する部位を規制することを特徴とする請求項１乃至３のいずれかに記載の三次元構造体。
【請求項５】
前記三次元構造体は、女性のバストに着用するバストカップ体からなり、前記女性のチェスト斜め上部に位置する膨出体部は、バストの移動拡張を妨げない容積並びに拡張性を有していることを特徴とする請求項１乃至４のいずれかに記載の三次元構造体。
【請求項６】
前記三次元構造体の前記膨出体部又は前記身頃体部の少なくとも一方を構成する素材に、装飾性を付与する編組織を用いるか、伸縮性を複数段階に調整する樹脂コーティングするか、又は生地を積層するか少なくともいずれか１つを施したことを特徴とする請求項１乃至５のいずれかに記載の三次元構造体。
【請求項７】
前記三次元構造体は、女性のバストに着用するバストカップ体からなり、前記バストカップ体は、前記女性のバスト形状を補正する補正力を、人体の頭部を上方とした場合における人体バスト乳頭点を中心にして、人体体側部下方から人体中央部上方に向けて作用させることを特徴とする請求項１乃至６のいずれかに記載の三次元構造体。
【請求項８】
前記三次元構造体の連接体部は、前記三次元的に解析された前記人体の膨出部又は前記膨出部に隣接する部位の形状に対して、前記人体の表面側から人体の内側に向けた凹形状に形成されていることを特徴とする請求項１乃至７のいずれかに記載の三次元構造体。
【請求項９】
前記三次元構造体は、その外周縁部の少なくとも一部に、剛性を付与するか、又は変形自在とするか、又は人体に対して補正力を作用させるように構成したことを特徴とする請求項１乃至８のいずれかに記載の三次元構造体。
【請求項１０】
前記三次元構造体は、その前記膨出体部又は前記身頃体部の少なくとも一方を、表面層部と裏面層部とを中間中空層部を構成する連繋糸で互いに接続した立体中空状の布地によって構成したことを特徴とする請求項１乃至９のいずれかに記載の三次元構造体。
【請求項１１】
前記三次元構造体の前記連接体部は、前記膨出体部又は前記身頃体部に作用する力を受け止めて、前記膨出体部又は前記身頃体部が変形するのを抑制する面状の芯体を備えたことを特徴とする請求項１乃至１０のいずれかに記載の三次元構造体。
【請求項１２】
前記面状芯体は、前記三次元構造体の体側部側に位置する前記連接体部が、前記膨出体部と前記身頃体部とを一体的に連結する作用を妨げないことを特徴とする請求項１１に記載の三次元構造体。
【請求項１３】
前記三次元構造体は、女性のバストに着用するバストカップ体からなり、前記バストカップ体は、
着用前の女性のバストトップよりも体側部側に位置するバストの領域が人体の中央部に向けて移動するのを促進する第１の移動促進部と、
前記着用前の女性のバストトップよりも下方に位置するバストの領域が人体の上方に向けて移動するのを促進する第２の移動促進部と、
前記着用前の女性のバストトップよりも人体の中央部側に配置され、前記第１の移動促進部と第２の移動促進部によって移動が促進されたバストの容量を受け入れる受容部とを有することを特徴とする請求項１乃至１２のいずれかに記載の三次元構造体。
【請求項１４】
人体の膨出部を含む部位に着用される衣料において、
前記衣料は、前記三次元的に解析された前記人体の膨出部の形状に補正を加えた形状に形成された膨出体部と、前記三次元的に解析された前記人体の膨出部に隣接する隣接部位の形状に基づいて形成された身頃体部と、前記衣料の着用時に変形して前記身頃体部の前記膨出体部に隣接する部位の形状を前記膨出体部の形状に一致させるか又は前記膨出体部に対して補正力を作用させる連接体部とを一体的に形成した三次元構造体を有し、
前記三次元構造体として請求項１乃至１３のいずれかに記載されたものを用いたことを特徴とする衣料。
【請求項１５】
前記三次元構造体は、前記衣料の裏面に複合的に配置されていることを特徴とする請求項１４に記載の衣料。
【請求項１６】
前記三次元構造体は、前記衣料の裏面に一体的に配置されていることを特徴とする請求項１４に記載の衣料。
【請求項１７】
前記三次元構造体は、前記衣料そのものの一部を構成することを特徴とする請求項１４に記載の衣料。
【発明の詳細な説明】
【技術分野】
【０００１】
この発明は、ブラジャーやロングラインブラ、スリーインワン、ブラキャミソール、ボディスリップ、水着、ランジェリー、並びにスポール関連ウェアー、あるいはアウターウェアーなどを含み、少なくとも女性の胸部を形成する女性用衣料に用いられるバストカップ体等としての三次元構造体及びこれを用いた衣料に関するものである。
【背景技術】
【０００２】
従来、この種のブラジャー等の女性用衣料を平面状の素材である基布を用いて作成するには、モールド成型によって基布を人体のバスト形状に成形する技術が用いられてきている。モールド成型技術を用いてブラジャー等の女性用衣料を作成する場合には、女性用衣料を構成する素材である基布が伸縮性を有していることを前提とし、図３１及び図３２に示すように、平面状の素材である基布に対して、人体のバスト形状に準ずる平坦な二次元的な底面を有する略椀形状のモールド型を用いた成形が行われる。
【０００３】
このように、従来のブラジャー等の女性用衣料は、平面状の素材である基布に対して、人体のバスト形状に準ずる平坦な二次元的な底面を有する略椀形状のモールド型を用いて成形することによって、人体のバストに相当する立体形状を形成しているのが現状である。
【０００４】
そのため、上記従来のブラジャー等の女性用衣料は、人体のバスト形状にある程度適合することは可能であったものの、平面状の素材である基布を用いて女性のバストに相当する膨出部を形成する上で、近年の女性の体型の欧米化等に起因して膨出部の膨出量が増大する傾向に対応するため、基布をモールド成型する際に、図３１に示すように、膨出部の周辺に配置される基布を固定せずに、膨出部の裾部である基底部周辺の領域に基布を引き込む量を増大させるか、又は、図３２に示すように、膨出部の周辺に配置される身頃体を構成する基布を完全に固定化した上で、固定化した領域の内部において膨出部に相当する基布を伸張させることにより形成する方式が採用されている。なお、図３１に示すように、膨出部の周辺に配置される基布を固定せずにモールド成型する場合には、膨出部の基底部をベースにして基布をカットし、基底部周辺の基布は使用しない。
【０００５】
かかる技術を前提としつつ、本出願人は、人体にフィットする三次元の女性用衣料を提供すべく、特開平０８−２０９４０５号公報や特開平０８−２４６２０４号公報、あるいは特開平０９−０８７９０３号公報、特開平１０−０６０７１０号公報、特開平１１−１３１３０７号公報、特開２００１−１３１８０４号公報などに開示された種々の技術を既に提案してきている。
【先行技術文献】
【特許文献】
【０００６】
【特許文献１】特開平０８−２０９４０５号公報
【特許文献２】特開平０８−２４６２０４号公報
【特許文献３】特開平０９−０８７９０３号公報
【特許文献４】特開平１０−０６０７１０号公報
【特許文献５】特開平１１−１３１３０７号公報
【特許文献６】特開２００１−１３１８０４号公報
【発明の概要】
【発明が解決しようとする課題】
【０００７】
しかしながら、上記ブラジャー等の女性用衣料の場合には、モールド成型時に、膨出部の基底部周辺の領域に位置する基布が大きく引き伸ばされるか、又は固定化された膨出部とその周辺との境界部に強い圧力が掛かることになり、モールド成型時の熱によって基布を構成する編み糸が伸張したり、モールド成型時のプレス圧力によって編地の組織が拡張されることによって、本来、基布が有する伸縮性は略完全に失われてしまい、膨出部とその周辺との境界部は、伸縮性を有しない固定化された人体のバスト基底部の輪郭線を形成することになる。
【０００８】
更に説明すると、モールド成型によって作成されるブラジャー等の女性用衣料においては、これまでの二次元的なモールド成型から、より人体の三次元形状に適合するものとして、上述した先行技術文献に記載した本出願人の提案によってモールド型の三次元化が図られているが、これまでの身頃体とモールド成型によって得られるバストカップ体とは、これらを別工程として形成されてきている。そのため、基布をモールド成型する際に、図  ２５に示すように、バストカップの隆起を容易に形成させるべく、モールド成型時に発生する基布への負担軽減のため、カップ周辺部を固定せず、基布が幾分引き込まれることを容認してきたため、当該カップ周辺部を含む製品の場合、バスト周辺部にフレアーが発生してしまい、製品の使命とする身頃体のフィット性を損なうという問題点を有していた。
【０００９】
その結果、上記ブラジャー等の女性用衣料は、モールド成型を施すことによって、膨出部の基底が平面状に形成される状態を脱して、膨出部の基底を略椀形状に形成することができ、人体のバストの表面を覆うという造形体としての目的を達成することができるものの、人体の肌に直接着用する女性用衣料として基本的に求められる着用時における略均一な密着性を実現し、バストを保持し且つバストの美的形成を図るという目的に対しては、伸縮性を失って固定化された膨出部の基底輪郭線を境界にして、図３３に示すように、バストを保持すべき身頃体にフレアーが発生してしまい、人体へのフィット性を十分満足することができず、しかもバストの美的形成を図ることができないという問題点を有していた。
【００１０】
更に説明すると、現在、市場に出ているブラジャー等の女性用衣料の多くは、図３３に示すように、その膨出部や身頃部が二次元的に設計されたものであり、形態自体が人体にフィットしていないため、ブラジャー等の商品に本来要求される女性のバストを下方及び体側部側から支える力を全くと言って良い程作用させることができないと同時に、図３３（ａ）に示すように、二次元的に設計されたブラジャーを着用する際にバストカップにゆがみを発生させてしまい、バストを保持すべき身頃体に図３１及び図３２に示すようにフレアーが生じてしまうばかりか、バストトップを美的に人体中央部寄りの上方に移動させることができず、むしろバストトップをブラジャーの表面側から押さえ込んでしまっており、バストの美的形成を図ることができないという問題点を有していた。
【００１１】
また、上記本出願人の提案に係る特開平０８−２０９４０５号公報や特開平０８−２４６２０４号公報、あるいは特開平０９−０８７９０３号公報、特開平１０−０６０７１０号公報、特開平１１−１３１３０７号公報、特開２００１−１３１８０４号公報などに開示された技術を応用し、市場化されたある形態の三次元化された女性用衣料においては、図３３に示すように、人体の骨格に形態的に順応することを図っているが、バスト基底身頃部の長さ（主にバスト横径に対する身頃部の横方向に沿った長さ）において、形状は仮に同一でもブラジャー等を着用する際に身頃体が伸張力を発揮させる前にバスト基底部に伸張力が作用してしまい、着用時に身頃体が伸張しきった状態では、図３３（ｂ）に示すように、バスト基底が歪んでしまうという問題点を有しているものであった。
【００１２】
さらに、上記従来のブラジャーは、形状的には三次元化を達成しているが、膨出部と身頃部は、伸張並びに拡張能力を有しているが、膨出部と身頃部を接続する部分は、固定化されていたため、特にバスト形状を安定的に保持させる製品目的であるバスト基底部の下部との間に大きな伸張格差が生じ、バスト形状そのものにも歪みが生じてしまうという問題点を有していた。
【００１３】
そこで、この発明は、上記従来技術の課題を解決するものであり、その目的とするところは、膨出部と身頃体を接続する部分に着目し、人体へのフィット性を向上させるとともに、着用感に優れた三次元構造体及びこれを用いた衣料を提供することにある。
【課題を解決するための手段】
【００１４】
この発明は、上記課題を解決するため、次のような技術的手段を採用している。すなわち、請求項１に記載された発明は、人体の膨出部を含む部位に着用される衣料に用いられる三次元構造体において、
人体の膨出部及び前記膨出部に隣接する隣接部位、並びに前記人体の膨出部と前記隣接部位との間に位置する連接部の形状を三次元的に解析し、
前記三次元的に解析された前記人体の膨出部の形状に補正を加えた形状に形成された膨出体部と、
前記三次元的に解析された前記人体の膨出部に隣接する隣接部位の形状に基づいて形成された身頃体部と、
前記衣料の着用時に変形して前記身頃体部の前記膨出体部に隣接する部位の形状を前記膨出体部の形状に一致させるか又は前記膨出体部に対して補正力を作用させる連接体部とを備えたことを特徴とする三次元構造体である。
【００１５】
また、請求項２に記載された発明は、前記三次元構造体は、当該三次元構造体が用いられる衣料の前身頃体の少なくとも一部を構成し、前記三次元構造体の左右両側には、後身頃体が配置されていることを特徴とする請求項１に記載の三次元構造体である。
【００１６】
さらに、請求項３に記載された発明は、前記三次元構造体は、前記膨出体部を含む必要部位にバストを支え移動を促進するパッド体、又はバスト容量を補うパッド体、或いは芯体からなる少なくとも１枚以上から構成される裏当て及び／又は表当て部材を備えていることを特徴とする請求項１又は２に記載の三次元構造体である。
【００１７】
又、請求項４に記載された発明は、前記三次元構造体は、女性のバストに着用するバストカップ体からなり、前記バストカップ体は、前記女性のバストの下方に位置する下辺連接体部を、当該下辺連接体部に相当する三次元的に解析された前記女性のバストの下辺の長さより縮小をして形成し、前記縮小して形成された下辺連接体部は、前記三次元構造体を用いた衣料を着用したときに伸張するか、又は当該下辺連接体部に相当する前記女性のバストに隣接する部位を規制することを特徴とする請求項１乃至３のいずれかに記載の三次元構造体である。
【００１８】
更に、請求項５に記載された発明は、前記三次元構造体は、女性のバストに着用するバストカップ体からなり、前記女性のチェスト斜め上部に位置する膨出体部は、バストの移動拡張を妨げない容積並びに拡張性を有していることを特徴とする請求項１乃至４のいずれかに記載の三次元構造体である。
【００１９】
また、請求項６に記載された発明は、前記三次元構造体の前記膨出体部又は前記身頃体部の少なくとも一方を構成する素材に、装飾性を付与する編組織を用いるか、伸縮性を複数段階に調整する樹脂コーティングするか、又は生地を積層するか少なくともいずれか１つを施したことを特徴とする請求項１乃至５のいずれかに記載の三次元構造体である。
【００２０】
さらに、請求項７に記載された発明は、前記三次元構造体は、女性のバストに着用するバストカップ体からなり、前記バストカップ体は、前記女性のバスト形状を補正する補正力を、人体の頭部を上方とした場合における人体バスト乳頭点を中心にして、人体体側部下方から人体中央部上方に向けて作用させることを特徴とする請求項１乃至６のいずれかに記載の三次元構造体である。
【００２１】
又、請求項８に記載された発明は、前記三次元構造体の連接体部は、前記三次元的に解析された前記人体の膨出部又は前記膨出部に隣接する部位の形状に対して、前記人体の表面側から人体の内側に向けた凹形状に形成されていることを特徴とする請求項１乃至７のいずれかに記載の三次元構造体である。
【００２２】
更に、請求項９に記載された発明は、前記三次元構造体は、その外周縁部の少なくとも一部に、剛性を付与するか、又は変形自在とするか、又は人体に対して補正力を作用させるように構成したことを特徴とする請求項１乃至８のいずれかに記載の三次元構造体である。
【００２３】
また、請求項１０に記載された発明は、前記三次元構造体は、その前記膨出体部又は前記身頃体部の少なくとも一方を、表面層部と裏面層部とを中間中空層部を構成する連繋糸で互いに接続した立体中空状の布地によって構成したことを特徴とする請求項１乃至９のいずれかに記載の三次元構造体である。
【００２４】
三次元構造体は、膨出体部と、身頃体部と、連接体部とから構成されるが、これら膨出体部・身頃体部・連接体部は、各部に応じて要求される機能が異なる。例えば、身頃体部は、その表面層部として伸張力を有しないソフトな構成とし、裏面層部は、当該表面層部よりも伸張力を持った構成とするのが望ましい。
【００２５】
さらに、上記身頃体部は、例えば、その裏面層部側から微少な凹部を人体湾曲方向と交差するに沿って複数設けることにより、当該身頃体部の体側部における人体湾曲形状よりも曲率の大きな湾曲を有するように形成するのが望ましい。このように、身頃体部の体側部領域を形成することによって、背面側の身頃部によって背面側に引っ張る力を遮断することができ、バストの変形などを抑制することが可能となる。
【００２６】
さらに、請求項１１に記載された発明は、前記三次元構造体の前記連接体部は、前記膨出体部又は前記身頃体部に作用する力を受け止めて、前記膨出体部又は前記身頃体部が変形するのを抑制する面状の芯体を備えたことを特徴とする請求項１乃至１０のいずれかに記載の三次元構造体である。この面状芯体は、連接体部と共に用いられるか、又は連接体部そのものを面状芯体として構成しても良い。
【００２７】
又、請求項１２に記載された発明は、前記面状芯体は、前記三次元構造体の体側部側に位置する前記連接体部が、前記膨出体部と前記身頃体部とを一体的に連結する作用を妨げないことを特徴とする請求項１１に記載の三次元構造体である。
【００２８】
更に、請求項１３に記載された発明は、前記三次元構造体は、女性のバストに着用するバストカップ体からなり、前記バストカップ体は、
着用前の女性のバストトップよりも体側部側に位置するバストの領域が人体の中央部に向けて移動するのを促進する第１の移動促進部と、
前記着用前の女性のバストトップよりも下方に位置するバストの領域が人体の上方に向けて移動するのを促進する第２の移動促進部と、
前記着用前の女性のバストトップよりも人体の中央部側に配置され、前記第１の移動促進部と第２の移動促進部によって移動が促進されたバストの容量を受け入れる受容部とを有することを特徴とする請求項１乃至１２のいずれかに記載の三次元構造体である。
【００２９】
また、請求項１４に記載された発明は、人体の膨出部を含む部位に着用される衣料において、
前記衣料は、前記三次元的に解析された前記人体の膨出部の形状に補正を加えた形状に形成された膨出体部と、前記三次元的に解析された前記人体の膨出部に隣接する隣接部位の形状に基づいて形成された身頃体部と、前記衣料の着用時に変形して前記身頃体部の前記膨出体部に隣接する部位の形状を前記膨出体部の形状に一致させるか又は前記膨出体部に対して補正力を作用させる連接体部とを一体的に形成した三次元構造体を有し、
前記三次元構造体として請求項１乃至１３のいずれかに記載されたものを用いたことを特徴とする衣料である。
【００３０】
また、請求項１５に記載された発明は、前記三次元構造体は、前記衣料の裏面に複合的に配置されていることを特徴とする請求項１４に記載の衣料である。
【００３１】
さらに、請求項１６に記載された発明は、前記三次元構造体は、前記衣料の裏面に一体的に配置されていることを特徴とする請求項１４に記載の衣料である。
【００３２】
又、請求項１７に記載された発明は、前記三次元構造体は、前記衣料そのものの一部を構成することを特徴とする請求項１４に記載の衣料である。
【発明の効果】
【００３３】
この発明によれば、膨出部と身頃体を接続する連動部に着目し、人体へのフィット性を向上させるとともに、着用感に優れた三次元構造体及びこれを用いた衣料を提供することができる。
【図面の簡単な説明】
【００３４】
【図１】この発明の実施の形態１に係る三次元構造体としてのバストカップ体を示す構成図である。
【図２】この発明の実施の形態１に係る三次元構造体としてのバストカップ体を用いた女性用衣料としてのブラジャーを示す構成図である。
【図３】バストカップ部示す構成図である。
【図４】バストカップ部示す構成図である。
【図５】バストカップ部示す構成図である。
【図６】標準体形の人体の膨出部及び当該膨出部に隣接する部位の形状を三次元的に解析した結果を示す説明図である。
【図７】女性のバストを示す断面図である。
【図８】女性のバスト形状を示す模式図である。
【図９】女性のバスト形状の変化を示す模式図である。
【図１０】この発明の実施の形態１に係る三次元構造体としてのバストカップ体を示す構成図である。
【図１１】人体の胸部断面形状を示す構成図である。
【図１２】この発明の実施の形態に係る三次元構造体としてのバストカップ体の前提となる構成を示す構成図である。
【図１３】この発明の実施の形態に係る三次元構造体としてのバストカップ体の前提となる構成を示す構成図である。
【図１４】この発明の実施の形態に係る三次元構造体としてのバストカップ体の前提となる構成を示す説明図である。
【図１５】この発明の実施の形態に係る三次元構造体としてのバストカップ体の前提となる構成を示す説明図である。
【図１６】この発明の実施の形態に係る三次元構造体としてのバストカップ体の前提となる構成を示す説明図である。
【図１７】この発明の実施の形態１に係る三次元構造体としてのバストカップ体を示す構成図である。
【図１８】この発明の実施の形態１に係る三次元構造体としてのバストカップ体を用いたブラジャーの着用状態を示す構成図である。
【図１９】この発明の実施の形態２に係る三次元構造体としてのバストカップ体を示す構成図である。
【図２０】この発明の実施の形態３に係る三次元構造体としてのバストカップ体を示す構成図である。
【図２１】この発明の実施の形態３に係る三次元構造体としてのバストカップ体を示す構成図である。
【図２２】この発明の実施の形態４に係る三次元構造体としてのバストカップ体を示す構成図である。
【図２３】この発明の実施の形態５に係る三次元構造体としてのバストカップ体を示す構成図である。
【図２４】この発明の実施の形態６に係る三次元構造体としてのバストカップ体を示す構成図である。
【図２５】この発明の実施の形態６に係る三次元構造体としてのバストカップ体を示す構成図である。
【図２６】この発明の実施の形態の変形例としてのバストカップ体を示す構成図である。
【図２７】この発明の実施の形態に係るバストカップ体を原理を示す説明図である。
【図２８】この発明の実施の形態に係るバストカップ体を原理を示す説明図である。
【図２９】この発明の実施の形態の変形例としてのバストカップ体を示す構成図である。
【図３０】この発明の実施の形態の変形例としてのバストカップ体を示す構成図である。
【図３１】従来のバストカップを示す構成図である。
【図３２】従来のバストカップを示す構成図である。
【図３３】従来のバストカップを示す構成図である。
【発明を実施するための形態】
【００３５】
以下に、この発明の実施の形態について図面を参照して説明する。
【００３６】
実施の形態１
図２はこの発明の実施の形態１に係る三次元構造体としてのバストカップ体を適用した衣料としてのブラジャーを示すものである。
【００３７】
このブラジャー１は、図２に示すように、女性の胸部に位置する左右のバスト部分をそれぞれ覆う左右のバストカップ部２、３を備えており、これら左右のバストカップ部２、３は、人体の前面側に位置する胸部の中央で互いに縫着等の手段によって一体的に接合されるか、又は左右のバストカップ部２、３が一体的に形成される。この実施の形態では、左右のバストカップ部２、３が別々に形成された上で、左右のバストカップ部２、３が人体の前面側に位置する胸部の中央で互いに縫着等の手段によって接合されている。これらの左右のバストカップ部２、３は、例えば、体型や年齢等を問わず、女性の胸部に位置する左右のバスト部分を約３／４程度に覆う３／４カップとして構成されるが、他のフルカップや１／２カップなど他のカップ形状に構成しても良いことは勿論である。
【００３８】
上記左右のバストカップ部２、３は、図３に示すように、三次元構造体としての左右のバストカップ体４、５と、当該左右のバストカップ体４、５の表面又は表裏両面を覆うように縫着又は接着等の手段によって設けられる伸縮性及び保形性を有する生地からなる表面生地６、７或いは表面生地６、７及び裏面生地８、９とによって複合的に構成されている。また、上記左右のバストカップ部２、３は、裏面生地８、９を設けずに、左右のバストカップ体４、５と表面生地６、７とから構成しても、表面生地６、７及び裏面生地８、９を設けずに、左右のバストカップ体４、５のみから構成しても良い。なお、上記表面生地６、７及び裏面生地８、９の素材としては、伸縮性及び保形性を有する生地であれば任意であるが、伸縮性及び熱成型性を有する生地を用いるのが望ましい。この実施の形態では、三次元構造体としての左右のバストカップ体４、５がブラジャー１の左右のバストカップ部２、３の裏面側に表面生地６、７と別体で複合的に配置されている。また、三次元構造体としての左右のバストカップ体４、５は、例えば、図４に示すように、衣料としてのブラジャー１の一部を直接構成しても良い。なお、上記三次元構造体としての左右のバストカップ体４、５は、表面生地６、７に接着等の手段によって一体的に配置しても良い。
【００３９】
なお、上記左右のバストカップ体４、５は、左右対称に形成されており、当該バストカップ体４、５の表裏両面を覆う表面生地６、７及び裏面生地８、９も、左右対称に形成されている。また、上記左右のバストカップ体４、５は、図４に示すように、一体的に形成しても良い。
【００４０】
また、図示の実施の形態では、表面生地６、７及び裏面生地８、９が１枚の布地で形成されているが、これら表面生地６、７及び裏面生地８、９を上下又は左右等に複数に分割し、これら複数に分割された表面生地６、７や裏面生地８、９を互いに縫着したものを用いても勿論良い。さらに、表面生地６、７には、プレス加工を施すことによって左右のバストカップ体４、５の膨出部と身頃部との境界が目立たないように構成しても良い。
【００４１】
さらに、上記表面生地６、７及び裏面生地８、９を左右のバストカップ体４、５に縫着等の手段によって接合するに際しては、図２に示すように、その下端縁等が適宜伸縮性を有するスパンテープ１０等を用いて縫着されるが、図３の上端に図示するように、スパンテープ１０等を用いずに縫着部が表面側に現れないように、左右のバストカップ体４、５の裏面側において表面生地６、７や裏面生地８、９を縫着又は接着するように構成しても良い。このように構成することにより、左右のバストカップ体４、５の上端縁によってチェスト部が圧迫されるのを回避することができる。
【００４２】
また、上記左右のバストカップ部２、３の両体側部側には、図２に示すように、女性のバストの体側部から背面部にわたってそれぞれ配置される伸縮性を有する生地からなる後身頃体としての左右の側布１２、１３がそれぞれ縫着等の手段によって接合されている。上記左右の側布１２、１３には、必要に応じて、その上端縁及び下端縁の少なくとも一方に、伸縮性を補助するスパンテープ１４が縫着されている。
【００４３】
この場合、衣料としてのブラジャー１は、大別して、左右のバストカップ部２、３と、左右の側布１２、１３との４つの構成部材から構成されるが、図４に示すように、左右のバストカップ部２、３を構成する後述する左右のバストカップ体４、５を一体化することによって、当該左右のバストカップ部２、３を一体化したり、左右のバストカップ部２、３と左右の側布１２、１３とを一体化したり、左右の側布１２、１３を一体化することにより、２つの構成部材から構成しても良い。
【００４４】
ここで、左右のバストカップ部２、３と左右の側布１２、１３とを一体化する場合には、例えば、図５（ａ）に示すように、左側のバストカップ部２のバストカップ体４と左側の側布１２とを一体的に形成して身頃体１００を構成するする態様が挙げられる。また、この身頃体１００は、図５（ｂ）に示すように、内側の身頃体１０１と外側の身頃体１０２とから二重に構成しても良い。その際、身頃体１００は、図５（ｃ）に示すように、バストカップ体４の内側のみ当布１０３を設けることによって、バストカップ体４のみを二重に構成しても良い。更に、上記身頃体１００には、図５（ｄ）（ｅ）に示すように、後述する如く、一体化された左側のバストカップ体４と左側の側布１２において、左側のバストカップ体４の内面の所定位置にパット部材１０４を接着等の手段によって設けたり、左側のバストカップ体４の内面の所定位置に大きさの異なる複数の裏当て部材１０５ａ、１０５ｂ、１０５ｃを設けて補正機能を付加しても良い。また、上記身頃体１００には、図５（ｆ）に示すように、身頃体１００をストレッチ性を有するダブルラッセル編地によって形成しても良い。
【００４５】
これら左右の側布１２、１３は、図２に示すように、ブラジャー１を着用する際に左右のバストカップ部２、３を人体の胸部に位置するバスト部分に保持するための保持力を発生させるものであり、当該左右の側布１２、１３の先端部には、図示しないアイやフック等からなる係止具が縫着等の手段によって取り付けられており、これらアイやフック等によって左右の側布１２、１３を連結する長さが調整可能となっている。また、上記左右のバストカップ部２、３の上端部と左右の側布１２、１３の背面部との間には、女性の肩にそれぞれ掛ける肩紐部材としてのショルダーコード１７、１８が、それぞれ長さが図示しない調節具によって調節可能なように装着されている。また、上記左右のバストカップ部２、３の上端部のうち、人体の中央部側に位置する上端部には、必要に応じて、レース生地等からなる図示しない装飾生地が縫着されているとともに、必要に応じて図示しない刺繍などの装飾が施されている。なお、上記ブラジャー１は、ショルダーコード１７、１８を有するものであっても、ショルダーコードを有しない所謂ストラップレスのものであっても良い。
【００４６】
また、上記左右のバストカップ部２、３の両体側部側と左右の側布１２、１３との縫着部の表面は、図示しないレース地等で覆うように縫着することによって、バストカップ部２、３の両体側部側と左右の側布１２、１３との段差が表着に現れ難くなり望ましい。
【００４７】
上記左右のバストカップ体４、５は、図１に示すように、モールド成型によってすべてが一体的にカップ形状に形成されるか又は一部が別体として形成されて互いに接合される。図１の例では、モールド成型によってすべてが一体的に形成されている。
【００４８】
図２は、モールド成型によって形成された左右別個のバストカップ体４、５を用いて左右のバストカップ部２、３を構成したブラジャー１を示している。
【００４９】
上記左右のバストカップ体４、５は、図１に示すように、左右のバストカップ体４、５を用いたブラジャー１を着用することによって理想的なバスト形状に近い形状を創出することが可能なカップ形状にモールド成型により一体的に形成されている。これらのバストカップ体４、５は、例えば、合成樹脂製の発泡体やダブルラッセル編による編地、あるいは不織布などを素材として形成されているが、その素材はモールド成型可能なものであれば任意であり、バストカップ体４、５は、基本的に、全体的に或いは特に身頃部の少なくとも一部が伸縮性を有するように構成されている。
【００５０】
なお、この実施の形態では、バストカップ体４、５の素材として発泡ポリウレタンを用いているが、ダブルラッセル編による編地や不織布など他の素材を用いても勿論良い。ダブルラッセル編による編地などの素材を用いる場合には、例えば、ダブルラッセル編による編地を構成する編糸の一部又は全部に伸縮性を有するものを用いるのが望ましい。
【００５１】
ところで、この実施の形態に係るバストカップ体は、人体の膨出部を含む部位に着用される衣料に用いられる三次元構造体において、人体の膨出部及び前記膨出部に隣接する隣接部位、並びに前記人体の膨出部と前記隣接部位との間に位置する連接部の形状を三次元的に解析し、前記三次元的に解析された前記人体の膨出部の形状に補正を加えた形状に形成された膨出体部と、前記三次元的に解析された前記人体の膨出部に隣接する隣接部位の形状に基づいて形成された身頃体部と、前記衣料の着用時に変形して前記身頃体部の前記膨出体部に隣接する部位の形状を前記膨出体部の形状に一致させるか又は前記膨出体部に対して補正力を作用させる連接体部とを備えるように構成したものである。
【００５２】
すなわち、上記バストカップ体４、５は、図１に示すように、ＪＩＳのサイズ規格に基づいて、Ａカップ、Ｂカップ、Ｃカップ・・・、例えば、アンダーバスト７５，バスト９０・・・など、種々のサイズのものが用意されており、その外周輪郭形状は、製品の目的やデザイン等の目的に基づく形状（図示例では、３／４カップ）を前提として構成されている。
【００５３】
更に説明すると、この実施の形態に係るバストカップ体４、５は、図６に示すように、ブラジャー１を着用する前のモデルとなるＪＩＳ（ＪＩＳ  Ｌ  ４００５）で定める標準体形に近い身長約１５８ｃｍの２０代女性の人体の体型を立体カメラによって撮影し、撮影結果をコンピュータによって数値解析したものを等高線によって表示したものに基づいて、人体のバスト８０及びバスト８０に隣接する隣接部位８２、並びに人体のバスト８０と隣接部位８２との間に位置する連接部８３の形状を三次元的に解析し、図１に示すように、三次元的に解析された人体のバスト８０の形状に補正を加えた形状に形成された膨出体部４１、５１と、三次元的に解析された人体の膨出部に隣接する隣接部位の形状に基づいて形成された身頃体部４３、５３等と、膨出体部４１、５１と身頃体部４３、５３等との間に位置し、ブラジャー１の着用時に変形して身頃体部４３、５３等の膨出体部４１、５１に隣接する部位の形状を膨出体部４１、５１の形状に一致させるか又は膨出体部４１、５１に対して補正力を作用させる連接体部４６，５６とを一体的に形成したものである。なお、人体のバスト８０及びバスト８０に隣接する隣接部位８２は、バスト８０の下方にのみ存在するものではなく、バスト８０の全周にわたって存在するものである。また、図６はカップサイズがＢで、アンダーサイズが７０ｃｍの女性の体の胸部形状をモデルとしているが、他の体型の女性をモデルとしても良い。
【００５４】
人体のバスト８０及びバスト８０に隣接する隣接部位８２は、図６に示すように、文字通り三次元的形状を有している。したがって、三次元的形状を有する人体のバスト８０及びバスト８０に隣接する隣接部位８２に着用するブラジャー１のバストカップ体４、５も、本来、三次元的な形状に形成するのが望ましい。
【００５５】
ただし、人体のバスト８０を覆う膨出体部４１、５１と、バスト８０に隣接する隣接部位８２を構成する身頃体部４３、５３等では、その機能及び形状がまったく異なるため、モデルとする女性の人体の体型を立体カメラによって撮影し、人体のバスト８０及びバスト８０に隣接する隣接部位８２の形状を三次元的に解析し、解析されたバスト８０及びバスト８０に隣接する隣接部位８２の形状に基づいて同一形状にバストカップ体４、５を形成しても、目的とするバストカップ体４、５を得ることはできないことは勿論である。
【００５６】
この実施の形態において、三次元化とは、従来の「バスト基底部」を平板状とする二次元設計に対し、図６に示すように、人体骨格の湾曲性を設計の根幹に置くバスト基底の凹状化を設計の基本とすることにある。
【００５７】
そして、その上に、製品としてのブラジャー１に原則として要求される人体衛生学的な配慮（乳腺等の不本位な圧迫回避など）の上に、女性人体美学に基づく理想的プロポーション化を達成するため、三次元的に解析された人体のバスト８０の形状に補正を加えた形状に形成された膨出体部４１、５１と、女性のバスト８０のバスト基底８４をバストカップ体４、５の基底部とする身頃体部４３、５３等と、膨出体部４１、５１及び身頃体部４３、５３等の少なくとも一方に連動して一体化する膨出体部４１、５１の基底や体側部を凹状化する機能などを果たす連接体部４６、５６とを備えるように構成したものである。
【００５８】
その際、上記バストカップ体４、５は、人体のバスト８０及びバスト８０に隣接する隣接部位８２に装着されることによって、新たな三次元的な力線を作用させることにあり、当該力線を以って理想とするバスト形状に近いバスト形状の創出並びに着用感に優れ、人体を不本位に圧迫することがなく衛生的に優れたものである。
【００５９】
一般に、女性のバスト８０は、図７に示すように、女性の胸部の第１肋骨から第５肋骨にわたって大胸筋の表面に隆起した形状を成しており、バスト８０の内部には、乳腺葉などが乳房内脂肪（皮下脂肪）によって覆われ、当該バスト８０の最も突出した先端部がバストトップ（乳頭）８１となっている。また、女性のバスト８０は、その形状に応じて、図８に示すように、（ａ）皿を伏せた形状に近い皿型、（ｂ）略紡錘形状に突出した紡錘型、（ｃ）球体を半分にした半球体に近い形状の半球型、（ｄ）略円錐形状に近い円錐型、（ｅ）下方に垂下した下垂型などに分類される。また、バスト形状が同じであっても、女性の体型（肩幅や肩の上端部からバストトップまでの距離など）や、乳房内脂肪（皮下脂肪）の量などによって、カップサイズが異なる。
【００６０】
また、女性のバスト８０の形状は、図９に示すように、発育期、完成期、変化期など女性の年齢によっても変化する。この年齢によるバスト８０の形状の変化は、主に、女性のバスト８０を計測する際の種々のサイズのうち、年齢に伴ってサイズが大きくなる部分と、年齢に伴ってサイズが小さくなる部分とで表わすことができる。
【００６１】
上記のごとく女性のバスト８０の形状は、個人差や年齢による差が大きく、個々人で異なる場合が多い。これに対して、女性がブラジャー１を着用する目的は、ＴＰＯに応じて異なる場合があるものの、左右のバスト８０のバストトップ８１を人体の内側に寄せるとともに上向きにアップさせる補整機能を向上させ、着用時のバスト８０の形状を理想的な形状である、例えば図８（ｃ）に示すような半球型に近づけることにあり、しかも良好な着用感が求められる点で略共通しているということができる。なお、理想とするバストの形状は、「個人的な好み」や「社会的な要求」など種々の要因によって変化するものであるが、近年の「個人の要求」から「社会的な要求」そして「個の主張」へと趣向が変化した現在にあっては、例えば、図８（ｃ）に示すような半球型に近づけることが理想のバスト形状とされている。
【００６２】
そこで、この実施の形態に係るバストカップ体４、５及びこれを用いたブラジャー１は、個人差や年齢による差などに基づく、個々人の女性のバスト形状の相違を克服して、バスト形状が種々異なるユーザーに対しても、左右のバスト８０のバストトップ８１を人体の内側に寄せるとともに上向きにアップさせる補整機能を向上させ、着用時のバスト８０の形状を理想的な形状である半球型に近づけるとともに、着用感に優れているバストカップ体及びこれを用いた女性用衣料を提供せんとするものである。
【００６３】
この実施の形態に係るバストカップ体４、５は、図１に示すように、当該バストカップ体４、５に求められる機能として、着用時のバスト形状を理想的な形状である半球型に近づけるとともに、着用感に優れている女性用衣料を実現することを目的とするものであるが、必ずしもこれらすべての機能を満たす必要はない。
【００６４】
これらのバストカップ体４、５は、図６に示すように、ブラジャー等の女性用衣料を着用する実際の女性のバスト形状８０を参考として設計されているが、その際、実際の女性のバスト形状８０に単に適合した形状にバストカップ体４、５の形状を形成するのではなく、バストカップ体４、５を用いたブラジャー１を実際に女性が着用した場合に、当該バストカップ体４、５を含むブラジャー１が女性のバスト８０に及ぼす種々の力を考慮した上で、バストカップ体４、５の形状が設定されている。
【００６５】
特に、バストカップ体４、５の連接体部４６、５６は、図２に示すように、ブラジャー１の着用時に左右の側布１２、１３やショルダーコード１７、１８によって作用する上向きの引上力を身頃体部を介して受ける部分であるとともに、バスト８０の重量を受け、且つバスト８０の下方や側方などに位置する身頃体と接続される部分であり、非常に重要な役割を有している。また、上記連接体部４６，５６は、バスト体と身頃体との境界のみを意味する部分ではなく、バスト体と身頃体の双方に渡る部分を含んで意味している。
【００６６】
なお、ここでは、便宜上、基本となるフルカップタイプのブラジャー１を例にバストカップ体４、５及びこれを用いたブラジャー１の構成について説明するが、上述したように、図２に示すような３／４カップ、あるいは他の１／２カップ等のブラジャーとして適用されることは勿論である。
【００６７】
図１０はこの発明の実施の形態に係るブラジャー１のバストカップ体４、５の基本的な構成を模式的に示したものである。
【００６８】
上記左右のバストカップ体４、５は、図１０に示すように、基本的に、女性のバストに着用される膨出体部としての左右のカップ体部４１、５１と、これら左右のカップ体部４１、５１を互いに接合するために、人体の胸部中央側に一体的に延設される中央身頃体部４２、５２と、左右のカップ体部４１、５１の人体立位姿勢において頭部を上方にした場合における下方に一体的に延設される下辺身頃体部４３、５３と、左右のカップ体部４１、５１の体側部側の側方に一体的に延設される側方身頃体部４４、５４と、左右のカップ体部４１、５１の人体立位姿勢において頭部を上方にした場合における上方に一体的に延設される上辺身頃体部４５、５５と、カップ体部４１、５１とこれら身頃体部４２〜４５、５２〜５５との間に位置する連接体部４６、５６とを備えている。連接体部４６、５６は、カップ体部４１、５１と身頃体部４２〜４５、５２〜５５との間に位置する部位であり、図１０に示す例では、カップ体部４１、５１の周囲を覆うように全周にわたって設けられているが、必ずしもカップ体部４１、５１の全周にわたって設ける必要がないことは勿論である。
【００６９】
また、上記左右のバストカップ体４、５は、これらの中央身頃体部４２、５２、下辺身頃体部４３、５３、側方身頃体部４４、５４、上辺身頃体部４５、５５のすべてを備えている必要はなく、これら身頃体部の一部のみを一体的に設けても良い。さらに、この実施の形態では、左右のバストカップ体４、５として側方身頃体部４４、５４が人体のバスト８０の側面から体側部にわたって相対的に大きく設けるように構成されている。なお、図１０（ａ）はバストカップ体４、５の正面図であり、同図（ｂ）は人体立位姿勢において頭部を上方にした場合における下方からバストカップ体４、５を見た状態を示した下面図である。
【００７０】
また、上記左右のバストカップ体４、５のうち、左右のカップ体部４１、５１を除く、中央身頃体部４２、５２と、下方身頃体部４３、５３と、側方身頃体部４４、５４と、上辺身頃体部４５、５５は、女性のバスト８０を覆う左右のカップ体部４１、５１と異なって、女性の身体である胸部を覆うように一体的に設けられた部材であり、衣服の袖・襟・衽（おくみ）などを除いた、前面をおおう部分である前身頃体部として機能する部分である。そして、上記左右のバストカップ体４、５は、左右のカップ体部４１、５１と身頃体部４２〜４５、５２〜５５とを連接体部４６、５６を介して一体的に設けたものである。
【００７１】
さらに、上記左右のバストカップ体４、５の左右のカップ体部４１、５１は、図１０に示すように、大別して、当該バストカップ体４、５の頂部であるバストトップ４１１、５１１を中心として、人体の中央側に位置する中央部側面４１２、５１２と、左右のバストカップ体４、５の人体立位姿勢において頭部を上方にした場合における下方に位置する下方側面４１３、５１３と、左右のバストカップ体４、５の体側側に位置する体側部側面４１４、５１４と、左右のバストカップ体４、５の人体立位姿勢において頭部を上方にした場合における上方に位置する上方側面４１５、５１５とに区分することができる。
【００７２】
このように、上記左右のバストカップ体４、５は、図１０に示すように、大別して、左右のカップ体部４１、５１と、身頃体部４２〜４５、５２〜５５と、連接体部４６、５６とから構成されている。連接体部４６、５６は、カップ体部４１、５１と、身頃体部４２〜４５、５２〜５５とを接続する部位であるバスト基底部８３（左右のカップ体部４１、５１の外輪）を、ショルダーコード１７、１８の引上力Ｆ４と身頃体部４２〜４５、５２〜５５の伸張力（前中心に引き寄せる力Ｆ５と、背部へ引き寄せる力Ｆ１）を以って第３の力線を作用させて拮抗化させる役割を有している。
【００７３】
その際、連接体部４６、５６は、左右のカップ体部４１、５１と身頃体部４２〜４５、５２〜５５とを一体化させてバストカップ体４、５を構成する作用を果たしているが、当該連接体部４６、５６には、上述したように、ショルダーコード１７、１８によって左右のカップ体部４１、５１を上方へと引き上げる引上力Ｆ４や、側方身頃体部４４、５４を介して体側部方向に引っ張る引張力Ｆ１などの力が拮抗した状態で作用する。
【００７４】
そして、この実施の形態に係る左右のバストカップ体４、５は、左右のカップ体部４１、５１と身頃体部４２〜４５、５２〜５５とが連動して、女性のバスト８０を支持する支持部としての作用と、女性のバスト８０を体側部側の下方から中央部の上方へと移動させる作用を発揮するものである。
【００７５】
上記身頃体部４２〜４５、５２〜５５と左右のカップ体部４１、５１と一体化する連接体部４６、５６は、身頃体部４２〜４５、５２〜５５の伸張に伴って、実質的に左右のカップ体部４１、５１に第三の力である乳房を支える力（押さえる力）を作用させる目的から、図１に示すように、左右のカップ体部４１、５１の体側部側から側方身頃体部４４、５４にわたって略平板状に形成されている。
【００７６】
さらに、上記連接体部４６、５６は、後述するように、カップ体部４１、５１のバストトップ８１から体側部側へ向けて実質的にグラデーション的（段階的）にバスト８０を押圧する力が体側部へ行く程強くなるように設定するのが望ましい。ただし、上記連接体部４６、５６は、女性のバスト８０を構成する乳腺の活動を阻害するような、局部的圧力を生じるものであってはならない。
【００７７】
また、上記左右のカップ体部４１、５１は、女性のバスト８０の形状を直接決定する部分であり、個人差や年齢の相違等にも対応可能に構成するのが望ましい。左右のカップ体部４１、５１の連接体部４６、５６は、バストの基底部８４に即した三次元の曲線形状とし、且つカップ体部４１、５１も当該三次元の曲線形状のバスト基底８３をベースとするものであり且つそのバスト基底８３を以って相互が連接されているものである。
【００７８】
上記左右のカップ体部４１、５１の基底部を構成する連接体部４６、５６は、人体のバスト基底８３を前提にして設計構成されるバストカップ基底であり、バスト基底輪郭線を略Ｕ字形状に形成するのが望ましい。この左右のカップ体部４１、５１の基底部は、ショルダーコード１７、１８による当該バスト８０を引き上げる引上力Ｆ４とも拮抗させバランスさせるのが望ましい。
【００７９】
上記人体の湾曲形状に適応する三次元的凹状部４６、５６は、人体中核を支点とする人体のバストトップ８１は、図６に示すように、人体の中心に対して略４５度の線上にあり且つ当該バスト基底部からなる凹状部４６、５６は、当該バストトップ８１を中心とするバストの下部に位置するが、当該バスト８０を包含するカップ体部４１、５１におけるバストトップ位置８１は、上記人体中心を支点に６０度の角度（人体中心側）にあり、且つ当該バストカップ基底８４を人体基底と同一の位置に固定することから、上記凹状部４６、５６はカップ体部４１、５１の体側部寄りに位置することとなる。
【００８０】
上記カップ体部４１、５１のバスト基底輪郭線は、図８（ｃ）に示すように、半球体的な形状を理想として、ブラジャー１の立体的な要求を高めるベースであるとともに、小さく引き締まったバスト８０を表現するための輪郭線（ボデイとの接続点）としての役割を担うものである。
【００８１】
このカップ体部４１、５１のバスト基底輪郭線をより明確化することを目的として、後述するように、カップ体部４１、５１のバスト基底輪郭線に面状芯体を配置したり、合成樹脂を塗布硬化させることが望ましい。さらには、カップ体部４１、５１の内部に挿入されるバストパッド等の使用による造形化などによって達成しても良い。
【００８２】
上記バストカップ体４、５を用いて構成される左右のバストカップ部２、３は、女性の左右のバスト８０を収容した状態で着用されるが、左右のバストカップ部２、３を備えたブラジャー１は、図２に示すように、女性の胸部に身頃体としての左右の側布１２、１３を伸張させた状態で着用し、これら左右の側布１２、１３の先端部に設けられた図示しないアイやフック等からなる係止具によって、左右の側布１２、１３の先端部を人体の背面側で互いに係止することによって装着される。
【００８３】
その際、上記ブラジャー１の左右の側布１２、１３は、図１１に示すように、女性の体のアンダーバスト部分における人体立位姿勢において頭部を上方にした場合における上下方向と交差する方向の断面形状において、体側部であるアームピット部からバック部に掛けて適宜伸張された状態となっており、これら左右の側布１２、１３が伸張し、並びにこれに伴って左右のバストカップ部２、３が伸張して、ブラジャー１は、女性の胸部の所定位置に保持された状態で着用される。また、左右のバストカップ部２、３には、図２に示すように、左右のショルダーコード１７、１８によって上方に引き上げる引上力Ｆ４が作用している。
【００８４】
このとき、本実施の形態に係る左右のバストカップ体４、５は、図１１に示すように、ブラジャー１を着用することによって、着用前の女性のバスト形状８０に対して、左右のバスト８０のバストトップ８１を人体の内側に寄せるとともに上向きにアップした位置８１’に位置させる補整機能を向上させ、着用時のバスト８０’の形状を理想的な形状である半球型に近づけるように形成されている。
【００８５】
ところで、第１に、上記ブラジャー１の左右のバストカップ部２、３には、図１０に示すように、左右の側布１２、１３によって体側部方向に引っ張る第１の力としての伸張力Ｆ１が作用する。従来のブラジャー１では、特に対策を講じない限り、左右のバストカップ部２、３を体側部方向に引っ張る伸張力Ｆ１は、左右のバストカップ部２、３を体側部方向へと変形させ、当該左右のバストカップ部２、３の変形に伴って女性のバスト８０を表面側から押圧する方向の力として作用してしまい、図１１に示すような理想的なバスト８０’の形状を形成することができない。
【００８６】
従来のブラジャー１では、左右のバストカップ部２、３を体側部方向に引っ張る伸張力Ｆ１を、例えば、左右のバストカップ部２、３のバスト基底部に設けられる図示しないワイヤーボーン（補整用芯体）によって受け、左右のバストカップ部２、３の変形を抑制し、当該左右のバストカップ部２、３によって女性のバスト８０が押圧されるのを回避しているが、図１１に示すような理想的なバスト８０’形状を形成することができず、着用前のバスト８０形状に対して人体の中央部寄りに若干移動させることができるものの、着用後のバスト形状は、横方向に細長い楕円形状となってしまっていた。
【００８７】
また、上記ブラジャー１の左右のバストカップ部２、３においてワイヤーボーン（補整用芯体）を用いた場合には、当該ワイヤーボーンが女性のバスト８０に当たり着用感が低下せざるを得ないことが多い。ただし、本願発明では、合成樹脂製や金属製のワイヤーの使用を排除するものではない。
【００８８】
そこで、この実施の形態では、図１２に示すように、基本的にワイヤーボーンを用いることなく、左右の側布１２、１３の引張力Ｆ１に対して、左右のバストカップ部２、３の変形を抑制するために、ブラジャー１を着用した場合に、左右のバストカップ部２、３に作用する体側部方向に引っ張る伸張力Ｆ１によって、左右のバストカップ体４、５及び下辺身頃部４３、５３、並びに連接体部４６、５６が伸張することを事前に考慮して、当該左右のバストカップ体４、５の下辺身頃部４３、５３及び連接体部４６、５６の形状等が決定されている。ここで、下辺身頃部４３、５３と連接体部４６、５６とは明確に区分できるものではなく、下辺身頃部４３、５３の全体が連接体部４６、５６そのものを構成しても良い。
【００８９】
すなわち、この実施の形態１に係る左右のバストカップ体４、５は、図１２に示すように、ブラジャー１を着用した場合に、左右のバストカップ部２、３に作用する体側部方向に引っ張る伸張力Ｆ１によって、図１２（ｂ）に二点鎖線で示すように、左右のカップ部４１、５１のバストトップ４１１、５１１から中央部側面４１２、５１２にわたる人体中央側の端部までの領域が伸張した状態で、左右のバストカップ部２、３が理想とするバスト形状８０’となるか又は理想とするバスト形状８０’に近い形状となるように、左右のカップ部４１、５１のバストトップ４１１、５１１から中央部側面４１２、５１２にわたる人体中央側の端部までの長さＬ１が、図６に示すように、伸張後の長さＬ１’に対して短くなるように縮小した状態で（長さが短く）設定されている。
【００９０】
また、上記左右のカップ部４１、５１の周囲に位置する連接体部４６、５６は、図６に示すように、ブラジャー１を着用する以前のバスト基底部８４の位置よりも人体の中央部寄りに予め設定されている。
【００９１】
更に説明すると、上記左右のバストカップ体４、５は、図６及び図１２に示すように、左右のカップ部４１、５１のバストトップ４１１、５１１から中央部側面４１２、５１２にわたる人体中央側の端部までの領域が、理想とするバスト形状８０’と等しい形状か又は理想とするバスト形状８０’に近い形状に形成されている訳ではなく、理想とするバスト形状８０’と等しい形状か又は理想とするバスト形状８０’に近い形状よりも小さく縮小した状態で形成されており、左右のバストカップ部２、３に体側部方向に引っ張る伸張力Ｆ１が作用して伸張した状態で、図１２（ｂ）に破線で示すように、はじめて理想とするバスト形状８０’と等しい形状か又は理想とするバスト形状８０’に近い形状となるように形成されている。なお、図１２はバストカップ体４、５の人体中央部寄りの特徴部分を抜き出して示すものであり、後述する構成と組み合わされるものである。
【００９２】
また、上記左右のバストカップ体４、５は、ブラジャー１を着用した場合に、左右のバストカップ部２、３に作用する体側部方向に引っ張る伸張力Ｆ１によって、図１２（ａ）に二点鎖線で示すように、左右のバストカップ体４、５の中央身頃部４２、５２が伸張した状態で左右のバストカップ部２、３が理想とするバスト形状となるか又は理想とするバスト形状に近い形状となるように、カップ部４１、５１の中央部側の端部から中央身頃部４２、５２の中央部側の端部までの長さＬ２が、伸張後の長さＬ２’に対して短くなるように縮小した状態で設定されている。
【００９３】
さらに、本発明者の検討によれば、発育期、完成期、変化期へと年齢に応じて変化する女性のバスト８０のうち、図９に示すように、完成期における女性のように若く乳房内脂肪（皮下脂肪）に張りのある女性のバスト８０においては、バスト基底部８４（バージスライン）が約２ｃｍ前後にわたり人体の中央部側に移動可能であることが確認されており、このことを前提として、左右のバストカップ体４、５の体側部におけるバスト基底部４６、５６を、当該バストカップ体４、５を着用することによって人体の中央部に向けて約２ｃｍ程度移動させるように、バストカップ体４、５の下辺身頃体部４３、５３及び側方身頃体部４４、５４が形成されている。
【００９４】
すなわち、この実施の形態では、上記の構成に加えて、図１３に示すように、バストカップ体４、５のカップ体部４１、５１とその周辺に位置する下辺身頃体部４３、５３及び体側部側身頃体部４４、５４との境界に位置するバストカップ体４、５の連接体部としてのバスト基底部４６、５６が、バストカップ体４、５を着用する前の女性のバスト基底部８４の位置に対して、最も移動量＝Ｌ３’−Ｌ３の多いところで約２ｃｍ程度にわたって人体の中央部寄りに移動した位置となるように設定配置されているとともに、下辺身頃体部４３、５３及び体側部側身頃体部４４、５４は、当該移動して設定されたバスト基底部８４の位置を保持するように構成されている。なお、移動量は約２ｃｍよりも大きくても小さくても良いことは勿論である。
【００９５】
また、この実施の形態に係るバストカップ体４、５の下辺身頃体部４３、５３及び側方身頃体部４４、５４は、図６及び図１３に示すように、人体に沿う着用前の断面形状が着用者の人体の胸部断面形状よりその曲率が大きくなるように形成されている。上記バストカップ体４、５の側方身頃体部４４、５４は、当該バストカップ体４、５を成形するモールド型の側方身頃体部４４、５４に対応した部分の曲率（１／Ｒ１）が、着用者の人体の胸部断面形状の曲率（１／Ｒ２）より大きくなるように設定することにより形成される。ここで、Ｒ１はバストカップ体４、５の側方身頃体部４４、５４の湾曲部分において近似した曲率半径を、Ｒ２は着用者の人体の胸部断面形状における近似した曲率半径をそれぞれ示している。
【００９６】
さらに、上記バストカップ体４、５の下辺身頃体部４３、５３及び側方身頃体部４４、５４は、図１３（ｂ）に示すように、着用者の人体の胸部断面形状に沿った長さＬ４が、着用者の人体の胸部断面形状に沿った実際の長さＬ４’よりも短くなるように縮小して設定されている。これらの下辺身頃体部４３、５３及び側方身頃体部４４、５４は、左右のバストカップ部２、３に体側部方向に引っ張る伸張力Ｆ１によって、長さＬ４から長さＬ４’へと伸張することにより、人体の胸部断面形状にフィットするようになっている。
【００９７】
なお、上述した説明では、便宜上、左右のバストカップ部２、３に体側部方向に引っ張る伸張力Ｆ１が、左右のバストカップ部２、３の種々の部分に個別に作用するように説明したが、当該伸張力Ｆ１は、左右の側布１２、１３の引張力として作用する１つの力であり、左右のバストカップ部２、３の種々の部分に作用する抗力の合成した値となることは勿論である。
【００９８】
このように設定することにより、バストカップ体４、５を用いたブラジャー１を着用した際に、着用者の人体の胸部断面形状よりその曲率が大きくなるように形成されたバストカップ体４、５の下辺身頃体部４３、５３及び側方身頃体部４４、５４が、左右の側布１２、１３によって作用する引張力Ｆ１によって、人体の胸部断面形状と略等しい曲率となるように拡張されるとともに、連接体部４６、５６及び側方身頃体部４４、５４が適正な長さＬ４’に伸張することにより、人体の体側部にフィットするようになっている。
【００９９】
また、上記バストカップ体４、５の側方身頃体部４４、５４は、熱収縮素材を用いて形成するか、熱収縮糸を編成した編組織を用いて形成することによって伸張率を更に高めるように構成しても良い。
【０１００】
さらに、上記バストカップ体４、５の下辺身頃体部４３、５３及び側方身頃体部４４、５４は、図１３（ｃ）に示すように、当該側方身頃体部４４、５４を成形するモールド成型機２００の雄型２０１及び雌型２０２のうち、雄型として、その人体の胸部断面形状に沿った表面に上下方向に沿った相対的に小さな凹凸２０３を人体の胸部断面形状に沿った方向に所定の間隔で配置することにより、下辺身頃体部４３、５３及び側方身頃体部４４、５４の曲率を大きくしたり、当該下辺身頃体部４３、５３及び側方身頃体部４４、５４の収縮率を高めるように構成しても良い。
【０１０１】
本発明の実施の形態では、図２７に示すように、バストカップ体４、５のカップ体部４１、５１の体側部側面４１４、５１４と、側方身頃体部４４、５４とを一体化することが基本となる。また、ショルダーコード１７、１８の引き上げ力Ｆ４が強すぎる場合には、図２８に示すように、バストカップ部２、３の両サイドに皴を発生させる虞れがあるため、バスト８０の重量を支え、且つバストカップ部２、３の両サイドに皴が発生しない程度に引き上げ力Ｆ４が調節される。なお、バスト８０の体側部側の面は、一体化されたカップ体部４１、５１の体側部側面４１４、５１４と側方身頃体部４４、５４とによって人体の中央部側に押圧されて、理想的なバスト形状に近づける作用を果たす。
【０１０２】
このように構成することによって、従来のバストカップ部２、３よりも大きな曲率で湾曲した下辺身頃体部４３、５３及び側方身頃体部４４、５４を形成することができ、左右の側布１２、１３によって引張力Ｆ１が作用した場合であっても、バストカップ体４、５のバスト基底部４６、５６を約２ｃｍ程度にわたって人体の中央部寄りに移動させたままの状態を保持することができ、バスト８０を寄せる効果をより一層確実に発揮することが可能となる。
【０１０３】
図１はこの実施の形態１に係る左右のバストカップ体４、５を示すものであり、この実施の形態１に係る左右のバストカップ体４、５は、上述した技術的思想に基づいて、図１２に示す形状及び図１３に示す形状の双方を同時に採用した形状に形成されている。
【０１０４】
すなわち、上記ブラジャー１を構成する左右のバストカップ体４、５及び左右の側布１２、１３を構成する素材としては、例えば、発泡ポリウレタン等からなる素材を予め定められた厚さを有する平面矩形状のシートや、伸縮性を有する生地が用いられるが、これらの素材は、ファンデーションガーメントにおいて標準的に用いられる伸縮性を有するストレッチ素材を前提としている。左右のバストカップ体４、５を構成する素材１００は、バストカップ体４、５をモールド成型した後において、着用前の寸法を１００％とした場合に、少なくとも着用時に人体胸部の周方向において１２０％程度以上の伸張率を有するものを用いることが望ましい。ポリウレタン樹脂は、高い伸張率を有することが知られており、ポリウレタン樹脂の種類によっては、成型後においても１２０〜４００％程度、あるいはそれ以上の伸張率を有するものがある。
【０１０５】
また、上記左右の側布１２、１３を構成する素材としては、着用前の寸法を１００％とした場合に、少なくとも着用時に人体胸部の周方向において１２０％程度以上の伸張率を有するものが用いられる。
【０１０６】
上記バストカップ体４、５は、図１４に示すように、上述した図１２に示す形状及び図１３に示す形状の双方を採用しているとともに、当該バストカップ体４、５のバストトップ４１１、５１１の位置が、女性のバスト８０のバストトップ８１位置よりも人体の中央部寄りで且つ上方に位置するように配置されている。
【０１０７】
また、上記バストカップ体４、５のバスト８０の下部に位置する連接体部４６、５６は、身頃体としての当該左右の側布１２、１３及びバストカップ体４、５の身頃体部が１２０％程度伸張した着用時を前提として、着用前の状態においては、図１４（ａ）に太い破線で示すように縮小した形状に形成されている。
【０１０８】
更に説明すれば、バスト８０の下部に位置するバスト基底部４６、５６の長さを、図６に示すように、Ｌ５’とした場合、バストカップ体４、５の連接体部としてのバスト８０の下部に位置するバスト基底部４６、５６の長さは、それよりも相対的に短いＬ５に設定されている。そして、ブラジャー１を着用したときに、バスト基底部４６、５６に作用する伸張力Ｆ１によって約Ｌ５’まで伸張する。
【０１０９】
また、ブラジャー等の女性用衣料においてファンデーションとしての補正機能などを高めるためには、バストカップ部４１、５１の下方に位置する下辺身頃体部４３、５３の伸張力を高めることが望ましい。
【０１１０】
このように、下辺身頃体部４３、５３の伸張力を高めるためには、上述した側方身頃体部４４、５４と同様に、熱収縮素材を用いて形成するか、熱収縮糸を編成した編組織を用いて形成することによって伸張率を更に高めるように構成される。
【０１１１】
また、この実施の形態では、図１４（ａ）に示すように、女性のバスト８０に着用するバストカップ部４１、５１は、女性のチェスト斜め上部に位置する膨出体部４７、５７は、バスト８０の移動拡張を妨げない拡張性を有している。この女性のチェスト斜め上部に位置する膨出体部４７、５７は、特に伸縮性の高い素材で形成されるか、又は厚さを薄く形成することによって伸張性を高めている。その結果、女性のバスト８０の体側部下方から中央部上方への移動を容易としている。このように、女性のチェスト斜め上部に位置する膨出体部４７、５７は、バスト８０の移動拡張を妨げない拡張性を有するように構成することで、ブラジャー１を着用したときのバスト８０の体側部下方から中央部上方への移動を促すことがより一層確実に可能となる。
【０１１２】
また、上記バストカップ体４、５の下辺身頃体部４３、５３は、図１３（ｃ）に示すように、当該下辺身頃体部４３、５３を成形するモールド成型機２００の雄型２０１として、その人体の胸部断面形状に沿った表面に上下方向に沿った相対的に小さな凹凸２０３を人体の胸部断面形状に沿った方向に所定の間隔で配置することにより、下辺身頃体部４３、５３及び側方身頃体部４４、５４の曲率を大きくしたり、当該下辺身頃体部４３、５３及び側方身頃体部４４、５４の収縮率を高めるように構成しても良い。
【０１１３】
この実施の形態では、図１３及び図１４に示すように、左右のバストカップ体４、５の下辺身頃体部４３、５３及び体側部身頃体部４４、５４が平面状に形成されている訳ではなく、人体胸部断面形状における湾曲率よりも曲率の大きな（曲率半径の小さな）曲面を形成するように構成されている。すなわち、女性のバスト８０は、図６及び図１１に示すように、湾曲した曲面をなす人体の胸部断面形状において、人体の前面中央部近傍から体側部近傍にわたって隆起した形状をなしており、左右のバストカップ体４、５の下辺身頃体部４３、５３及び体側部身頃体部４４、５４も当該人体の胸部断面形状にフィットするのが望ましい。ただし、上記左右のバストカップ体の下辺身頃体部４３、５３及び体側部身頃体部４４、５４には、左右の側布１２、１３によって下辺身頃体部４３、５３及び体側部身頃体部４４、５４を広げる方向、人体の胸部断面形状から離間する方向の伸張力Ｆ１が作用する。
【０１１４】
そこで、この実施の形態では、図１５（ａ）及び図１３（ｂ）に示すように、左右のバストカップ体４、５の下辺身頃体部４３、５３及び体側部身頃体部４４、５４に、左右の側布１２、１３によって下辺身頃体部４３、５３及び体側部身頃体部４４、５４を広げる方向の力が作用することを考慮して、人体胸部断面形状における湾曲率（１／Ｒ２）よりも曲率の大きな（１／Ｒ１）曲面を形成するように構成されている。
【０１１５】
なお、上記左右のバストカップ体４、５を構成する素材は、必然的に厚さを有しており、素材の厚さが厚くなればなる程、左右のバストカップ体４、５の湾曲部の外径と内径の差が大きくなって、このバストカップ体４、５の外径と内径の差は、着用時における圧迫と内面のシワの原因となる。これに対して、本発明においては、人体の膨出部に対応した三次元形状に形成された膨出体部と、人体の膨出部に隣接する部位に対応した三次元形状に形成された身頃体部と、膨出体部と隣接部位との間に位置する連接体部を一体的に形成することにより、バストカップ体４、５を構成する素材が厚い場合であっても、バストカップ体４、５の外径と内径の差を考慮した形状に形成することができる。
【０１１６】
また、上記バストカップ体４、５は、図１５に示すように、そのバストトップ８１の位置がバスト基底８４の移動量Ａ１を約２ｃｍとした場合、当該バスト基底８４の移動量に１〜２ｃｍ程度をプラスした移動量Ａ２とするのが望ましく、かつ上方に移動量Ｄとして１ｃｍ程度高く移動させるように設定される。ただし、これらの数値は、あくまで標準的な体型を前提としたものであり、バストトップ８１やバスト基底８２の移動量は、年齢や体型などに応じて異ならせるのが望ましい。
【０１１７】
さらに、この実施の形態では、上記の構成を前提とした上で、図１４に示すように、女性のバスト８０の下部に位置するバスト基底部４６、５６を、女性のバスト８０の対応する部位よりも縮小して短く形成するとともに、女性のバスト８０の上部を形成する上辺身頃部４５、５５を薄肉に形成するなどして伸張自在に形成することにより、女性のバストを支持しつつ上部方向への移動を促すように構成されている。その際、上記女性のバストの下部に位置する下辺身頃部４３、５３は、女性のバストの対応する部位の長さよりも縮小して短く形成されるが、当該下辺身頃部４３、５３は、伸縮性を有しており、ブラジャー１の着用時に作用する伸張力Ｆ１によって図１４（ｂ）に示すように女性のバストの下部にフィットする長さに伸張するようになっている。なお、上記女性のバストの下部に位置するバスト基底部４６、５６は、女性のバストの対応する部位の長さよりも縮小して短く形成し、当該バスト基底部４６、５６は、ブラジャー１の着用時に作用する伸張力Ｆ１によっても伸張しないか又は僅かに伸張し、女性のバストの下部を押圧することによりバストアップを図るように構成しても良い。
【０１１８】
なお、変形例として、バストカップ体４、５の連接体部としてのバスト８０の下部に位置するバスト基底部４６、５６の長さは、バスト８０の下部に位置するバスト基底部４６、５６の長さと等しいＬ５’に設定するとともに、当該バスト８０の下部に位置するバスト基底部４６、５６を構成する素材として伸張し難い材料を用いることで、ブラジャー１を着用したときに伸張力Ｆ１が作用した場合であっても、当該バスト８０の下部に位置するバスト基底部４６、５６は、殆ど伸張しないように構成しても良い。
【０１１９】
さらに、変形例として、バストカップ体４、５の連接体部としてのバスト８０の下部に位置するバスト基底部４６、５６は、バスト下辺部の中央側半分に伸張性を持たせ、アームピット側を殆ど伸張しないように構成しても良い。
【０１２０】
これまでの標準的な設計である身頃部は、ブラジャー等の女性用衣料を構成する基布をそのまま平面体として用いることを前提としていたが、本実施の形態では、チェストエッジを開くとともに、アンダーエッジを絞る、バストの体側部の領域を人体の表面から内側に向けて凹状化させるなど、立体的な設計がなされている。
【０１２１】
この実施の形態に係るバストカップ体４、５は、図１に示すように、着用時のバスト形状を理想的な形状に近づけることを可能とするものである。ここで、バストカップ体４、５を着用した時の理想的なバスト形状としては、図１４に示すように、バスト基底８４を人体中央部寄りであって且つ斜め上方へ移動させるとともに、それに伴ってバスト８０のトップ８１位置を人体中央部寄りであって且つ斜め上方へ移動させ、更に人体の体側部側に位置するバスト８０の容積を人体中央部寄りに、望ましくは人体中央部寄りの斜め上方へ移動させることにより、着用者のバスト８０の形状を図８（ｃ）に示すように略半球体状に近づけるものである。
【０１２２】
また、この実施の形態では、着用前の女性のバストトップよりも体側部側に位置するバストの領域が人体の中央部に向けて移動するのを促進する第１の移動促進部と、前記着用前の女性のバストトップよりも下方に位置するバストの領域が人体の上方に向けて移動するのを促進する第２の移動促進部と、前記着用前の女性のバストトップよりも人体の中央部側に配置され、前記第１の移動促進部と第２の移動促進部によって移動が促進されたバストの容量を受け入れる受容部とを有するように構成されている。
【０１２３】
上記左右のバストカップ体４、５のカップ体部４１、５１は、図１５に示すように、女性の左右のバスト８０を収容した状態で着用することにより、女性のバスト８０から種々の力を受けて変形する。
【０１２４】
そこで、この実施の形態では、左右のバストカップ体４、５のカップ体部４１、５１に女性の左右のバスト８０を収容した状態で着用した際に、当該カップ体部４１、５１が女性のバスト８０から種々の力を受けて変形することを考慮して、当該カップ体部４１、５１の形状が決定されている。
【０１２５】
この実施の形態に係る左右のバストカップ体４、５は、図１５に示すように、着用時のバスト形状を理想的な形状に近づけることを目標とするものであるが、当該バストカップ体４、５のカップ体部４１、５１は、女性のバスト８０のバスト基底部８２を人体中央部寄りに、望ましくは人体中央部寄りの斜め上方へ移動させるにあたり、着用前の女性のバストトップ８１よりも体側部側に位置するバスト８０の領域が人体の中央部に向けて移動するのを促進する第１の移動促進部６１を備えている。
【０１２６】
このカップ体部４１、５１の第１の移動促進部６１は、図１５に示すように、左右のバストカップ体４、５を着用する前の状態において、カップ体部４１、５１の体側部側面４１４、５１４が理想とするバスト形状よりも人体の中央部側に位置し、しかも、当該体側部側面４１４、５１４の中間部分４１４ａ、５１４ａが平板状あるいは人体側に向けて凹形状となるように凹んだ形状に形成されている。こうすることによって、図１６（ａ）に示すように、着用前の図１６（ｂ）に対して、カップ体部４１、５１の体側部側面４１４、５１４の中間部分４１４ａ、５１４ａによって、女性のバストを内側に寄せるとともに、下辺身頃部４３、５３の縮小化と相まって女性のバストを上部にアップさせることができる。
【０１２７】
また、カップ体部４１、５１には、図１７（ａ）に示すように、女性のバスト８０を支え移動を促進するパッド体Ｐを一体的に設けたり、図１７（ｂ）（ｃ）に示すように、裏面生地８、９にバスト容量を補う別体としてのパッド体Ｐを挿入する挿入口９１を設けるように構成しても良い。パッド体Ｐには、図１７（ｃ）に示すように、パッド体Ｐの厚さが場所によって厚い部分Ｐ１と相対的に薄い部分Ｐ２、Ｐ３が設定される。さらに、カップ体部４１、５１には、図１７（ｃ）に示すように、その裏面側等の必要箇所に裏当て部材９２を設けるように構成しても良い。なお、図１７（ｃ）において、９３は裏当て部材９２を４枚積層した領域を、９４は裏当て部材６２を３枚積層した領域を、９５は裏当て部材６２を２枚積層した領域を、それぞれ示している。
【０１２８】
このように、上記カップ体部４１、５１の第１の移動促進部６１を形成することにより、左右のバストカップ体４、５を着用した状態では、バストカップ体４、５による女性のバスト基底部８２の人体中央部側への移動と相俟って、カップ体部４１、５１の体側部側面４１４、５１４により女性のバストトップ８１よりも体側部側に位置するバストの領域が人体の中央部に向けて押圧されて人体の中央部寄りに移動するとともに、当該カップ体部４１、５１の第１の移動促進部６１は、女性のバスト８０から受ける反力Ｆ２によって体側部側に膨出した形状へと変形し、理想とするバスト形状の体側部側の側面形状が形成される。
【０１２９】
また、上記カップ体部４１、５１は、図１５（ｂ）に示すように、着用前の女性のバストトップ８１よりも下方に位置するバストの領域が人体の上方に向けて移動するのを促進する第２の移動促進部を備えている。
【０１３０】
このカップ体部４１、５１の第２の移動促進部６２は、図１５（ｂ）に示すように、左右のバストカップ体４、５を着用する前の状態において、カップ体部４１、５１の下辺部側面４１３、５１３が理想とするバスト形状よりも人体の上方に位置し、しかも、当該下辺部側面４１３、５１３の中間部分４１３ａ、５１３ａが人体側に向けて上方に凹形状となるように凹んだ形状に形成されている。
【０１３１】
このように、上記カップ体部４１、５１の第２の移動促進部６２を形成することにより、左右のバストカップ体４、５を着用した状態では、カップ体部４１、５１の下辺部側面４１３、５１３により女性のバストトップ８１よりも下方に位置するバストの領域が人体の上方に向けて押圧されて人体の上方に移動するとともに、当該カップ体部４１、５１の第２の移動促進部６２は、女性のバスト８０から受ける反力Ｆ３によって下方に膨出した形状へと変形し、理想とするバスト形状の下方の側面形状が形成される。
【０１３２】
さらに、上記カップ体部４１、５１は、図１５（ａ）に示すように、着用前の女性のバストトップ８１よりも人体の中央部側に配置され、第１の移動促進部６１と第２の移動促進部６２によって移動が促進されたバスト８０の容量を受け入れる受容部６３を有するように構成されている。
【０１３３】
このカップ体部４１、５１の受容部６３は、当該カップ部４１、５１のバストトップ部４１１、５１１と、その両側に位置する中央部側側面４１２、５１２及び体側部側側面４１５、５１５の双方にわたって、当該カップ部４１、５１の女性のバスト形状の人体中央部より内側に膨出した領域に設けられている。なお、上記受容部６３のうち、理想とするバスト形状の人体中央部より内側に膨出した領域６３ａは、上述したように、左右のバストカップ体４、５のカップ体部４１、５１が側布１２、１３によって引張力Ｆ１を受けることで伸張する空間部分であり、引張力Ｆ１を受けて伸張した状態では、カップ体部４１、５１の受容部６３の一部を構成する部分である。
【０１３４】
また、上記受容部６３は、図１５に示すように、左右のバストカップ体４、５を着用した状態で、第１の移動促進部６１と第２の移動促進部６２によって移動が促進されたバストの容量を受け入れるように、当該第１の移動促進部６１と第２の移動促進部６２によって移動が促進されるバスト容量を考慮した容量となるように設定されている。
【０１３５】
なお、上記のように構成される左右のバストカップ体４、５は、例えば、三次元のモールド成型機を用いてモールド成型された後、所定の形状に成形された左右のバストカップ体４、５は、図１に示すように、プレス機等を用いて所定のバストカップ体４、５の形状に切断されて製造されるが、プレス機等に限らず手で裁断しても良いことは勿論である。
【０１３６】
以上の構成において、この実施の形態に係るバストカップ体を用いた女性用衣料としてのブラジャーでは、次のようにして、人体へのフィット性を向上させるとともに、着用時のバスト形状を理想的な形状に近づけることが可能となっている。
【０１３７】
すなわち、この実施の形態に係るバストカップ体４、５を用いたブラジャー１では、図１８（ａ）（ｂ）に示すように、女性の左右のバスト８０を左右のバストカップ部２、３によって収容した状態で、ショルダーコード１７、１８を左右の肩に掛けるとともに、左右の側布１２、１３の先端部を女性の体の背面側において図示しないアイやフックで互いに連結することによって着用される。
【０１３８】
その際、上記ブラジャー１の左右のバストカップ部２、３には、図１８（ｂ）に示すように、左右の側布１２、１３が伸張したときの伸張力によって体側部から背面側に向かって左右の伸張力Ｆ１がそれぞれ作用する。そのため、上記左右の側布１２、１３に連結された左右のバストカップ部２、３を構成する左右のバストカップ体４、５には、上述した左右の伸張力Ｆ１のうち、Ｆ１ｂが作用する。
【０１３９】
ところで、この実施の形態に係る左右のバストカップ体４、５は、図１、図１２〜図１４に示すように、上述した伸張力Ｆ１を考慮して、当該バストカップ体４、５のカップ体部４１、５１の中央部側面４１２、５１２及び中央身頃部４２、５２の形状が圧縮して形成されているため、左右のバストカップ体４、５に伸張力Ｆ１ａ及びＦ１ｂが作用すると、カップ体部４１、５１の中央部側面４１２、５１２及び中央身頃部４２、５２が伸張されて、理想とするバスト形状か又は理想とするバスト形状に近い形状に変形する。
【０１４０】
上記左右のバストカップ体４、５は、図１、図１２〜図１４に示すように、カップ体部４１、５１と下辺身頃体部４３、５３及び体側部身頃体部４４、５４との境界に位置するバスト基底部４６、５６が、人体の中央部側であって、且つ上方に変位した位置に配置されているため、当該左右のバストカップ体４、５を着用した女性のバスト８０のバスト基底部８２は、人体の中央部側であって、且つ上方に移動する。
【０１４１】
その際、上記左右のバストカップ体４、５のカップ体部４１、５１と下辺身頃体部４３、５３及び体側部身頃体部４４、５４には、上述したように、左右の側布１２、１３による伸張力Ｆ１が作用する。
【０１４２】
ところが、上記下辺身頃体部４３、５３及び体側部身頃体部４４、５４は、図１及び図１４に示すように、その曲率が人体の胸部断面形状における曲率よりも大きく設定されているとともに、その長さが人体の胸部断面形状よりも縮小された長さに設定されているため、伸張力Ｆ１によって曲率及び長さが人体の胸部断面形状に沿った曲率及び長さに拡開及び伸張することでバランスし、左右のバストカップ体４、５のバスト基底部４６、５６は、体側部方向に移動しない。
【０１４３】
その結果、上記左右のバストカップ体４、５を用いたバストカップ部２、３を着用することにより、女性のバスト８０の形状は、図１等に示すように、理想とするバスト形状となるか、理想とするバスト形状に近い形状となる。
【０１４４】
また、上記左右のバストカップ体４、５のカップ体部４１、５１には、図１５に示すように、第１の移動促進部６１、第２の移動促進部６２、及び受容部６３が設けられているので、女性のバスト８０の容量の移動を促して、女性のバスト８０形状を理想とするバスト形状とするか、理想とするバスト形状に近い形状とすることができるとともに、これら第１の移動促進部６１、第２の移動促進部６２、及び受容部６３の容量及び配置を適宜設定することにより、図８及び図９に示すように個人差を有する女性のバスト８０の形状に対しても、適宜、補整効果を発揮して理想とするバスト形状とするか、理想とするバスト形状に近い形状にすることが可能となる。
【０１４５】
実施の形態２
図１９はこの発明の実施の形態２を示すものであり、前記実施の形態１と同一の部分には同一の符号を付して説明すると、この実施の形態２では、伸縮性を複数段階に調整する樹脂コーティングするか、又は生地を積層するか少なくともいずれか１つを施すように構成されている。
【０１４６】
すなわち、この実施の形態２に係る左右のバストカップ体４、５は、図１９に示すように、その左右のカップ体部４１、５１の体側部側面４１４、５１４から下方側面４１３、５１３にわたって、体側部側面４１４、５１４の上端部近傍から下方側面４１３、５１３の中央部下方に斜めに傾斜した複数（図示例では、５つ）の領域７１〜７５に区分されており、一番上部に位置する第１の領域７１は、カップ体部４１、５１を構成する素材そのものから構成されているのに対して、順次下方に位置する第２〜第５の領域７２〜７５には、カップ体部４１、５１の表面に例えばシリコン樹脂等からなる伸縮性を有する合成樹脂が塗布されているとともに、当該合成樹脂の塗布量が第２〜第５の領域７２〜７５と下方に行くにしたがって段階的に又は連続的に厚くなるように構成されている。
【０１４７】
そのため、上記左右のバストカップ体４、５のカップ体部４１、５１は、その体側部側面４１４、５１４から下方側面４１３、５１３にわたって、上方から次第に伸び易い、やや伸び易い、普通、やや伸び難い、伸び難いといったように、伸張率が順次低くなるように設定されており、最も下方のカップ体部４１、５１の裾部に位置する第５の領域７５は、伸び難く、殆ど伸びないように構成されている。なお、上記第５の領域７５は、その一部が体側部側身頃部４４、５４に及ぶように設けられている。
【０１４８】
また、上記カップ体部４１、５１の第１〜第５の領域７１〜７５には、伸縮性を複数段階に調整する樹脂をコーティングする代わりに、複数枚の生地を合成樹脂の塗布量に応じて順次積層するように構成しても良い。
【０１４９】
さらに、上記左右のバストカップ体４、５のカップ体部４１、５１及び身頃体部４２（５２）、４３（５３）、４４（５４）、４５（５５）の少なくとも一方には、その表面生地６、７として装飾性を付与するためレース地等の編組織を用いても良い。
【０１５０】
又、上記樹脂をコーティングしたり生地を積層する領域は、カップ体部４１、５１に限らず、身頃体部４２（５２）、４３（５３）、４４（５４）、４５（５５）であっても良い。
【０１５１】
更に、上記樹脂コーティングや生地の積層、或いはレース地等の編組織を２つ以上組み合わせて用いても良い。
【０１５２】
このように構成することにより、上記左右のバストカップ体４、５に補正機能を付与することができる。
【０１５３】
その他の構成及び作用は、前記実施の形態と同様であるので、その説明を省略する。
【０１５４】
実施の形態３
図２０及び図２１はこの発明の実施の形態２を示すものであり、前記実施の形態１と同一の部分には同一の符号を付して説明すると、この実施の形態３では、前記三次元構造体は、その外周縁部の少なくとも一部に、剛性を付与するか、又は変形自在とするか、又は人体に対して補正力を作用させるように構成されている。
【０１５５】
すなわち、この実施の形態３に係る左右のバストカップ体４、５は、図２０に示すように、バスト基底下部の周辺輪郭線よりも下方に位置する下辺身頃体部４３、５３の縁部６１及び体側部側身頃体部４４、５４の縁部６２が人体の内側に向けて絞り込まれるように湾曲した形状に形成されているのに対して、バスト基底上部の周辺輪郭線よりも上方に位置する上辺身頃体部４５、５６の縁部６３が人体の表面から外側に向けて反り返った形状で開放するように湾曲した形状に形成されている。
【０１５６】
更に説明すると、この実施の形態３に係る左右のバストカップ体４、５は、図２０（ｂ）に示すように、カップ体部４１、５１及び身頃体部４２〜４５、５２〜５５において、補整後のバストトップ８１’の位置を中心にして、当該補整後のバストトップ８１’を通り互いに対向する端縁ａ、ａ’、ｂ、ｂ’、ｃ、ｃ’ｆ、ｆ’、及び中心側身頃体部４２、５２と体側部側身頃体部４４、５４の上下に対向する端縁ｄ、ｄ’、ｅ、ｅ’が、バストトップ８１’を横方向に通るｆ−ｆ’線よりも下方に位置する端縁が、人体の表面から内側に向けて絞りこむ形状で閉じるように湾曲した形状に形成されているとともに、バストトップ８１’を横方向に通るｆ−ｆ’線よりも上方に位置する端縁が、人体の表面から外側に向けて反り返る形状で開くように湾曲した形状に形成されている。また、バストトップ８１’を横方向に通るｆ−ｆ’線のうち、人体の中央部側の端縁ｆは、人体の表面から外側に向けて反り返る形状で開くように湾曲した形状に形成されているとともに、人体の体側部側の端縁ｆ’は、人体の表面から内側に向けて絞りこむ形状で閉じるように湾曲した形状に形成されている。なお、上記端縁ａ、ａ’、ｂ、ｂ’、ｃ、ｃ’ｆ、ｆ’は例示したものであって、他の隣接する端縁も同様に形成されている。
【０１５７】
また、この実施の形態３では、カップ体部４１、５１及び身頃体部４２〜４５、５２〜５５の少なくとも一方の外周縁部にスパンテープ１４等を縫着することにより、膨出体部又は前記身頃体部の形状を保持する剛性を付与するか、又は人体への補正力を作用させるように構成しても良い。
【０１５８】
更に、この実施の形態３では、図２１に示すように、カップ体部４１、５１の外周縁に位置する幅１ｃｍ程度の領域の圧縮率を他の領域に比較して高めることにより、カップ体部４１、５１の外周縁部の形状を保持する剛性を付与するように構成しても良い。なお、カップ体部４１、５１の外周縁は、テーパー上に厚さを変化させても良い。
【０１５９】
その他の構成及び作用は、前記実施の形態と同様であるので、その説明を省略する。
【０１６０】
実施の形態４
図２２はこの発明の実施の形態４を示すものであり、前記実施の形態１と同一の部分には同一の符号を付して説明すると、この実施の形態４では、前記三次元構造体は、女性のバストに着用するバストカップ体からなり、前記バストカップ体は、前記女性のバスト形状を補正する補正力を、人体の頭部を上方とした場合における上下方向に作用させるように構成されている。
【０１６１】
すなわち、この実施の形態４に係る左右のバストカップ体４、５は、図２２に示すように、左右のカップ体部４１、５１において、人体立位姿勢において頭部を上方にした場合における上方に位置する上方側面４１５、５１５の形状を、人体の表面側から内側に向けて凹形状に形成することにより、バストトップ８１よりも上方に位置するバスト８０の部分を押圧することで、バスト８０の形状を理想とする形状に近づけるように構成されている。
【０１６２】
そのため、この実施の形態４によれば、女性のバストの上部分から首にかけて丸く、図７に示す肋骨自体が前に出ており、チェストが前に張り出ていて上胸からバストのボリュームが付いている所謂“ハト胸”等のような場合であっても、左右のバストカップ体４、５のカップ部の上辺が人体に食い込んだり、カップ部の上部に段が生じることなく、上方からの補正力によって所謂“ハト胸”のような女性のバストをカップ部に収容して美しいバストを創出することができる。
【０１６３】
その他の構成及び作用は、前記実施の形態と同様であるので、その説明を省略する。
【０１６４】
実施の形態５
図２３はこの発明の実施の形態５を示すものであり、前記実施の形態１と同一の部分には同一の符号を付して説明すると、この実施の形態５では、前記三次元構造体の前記膨出部又は前記身頃部の少なくとも一方は、表面層部と裏面層部とを中間中空層部を構成する連繋糸で互いに接続した立体中空状の布地によって構成されている。
【０１６５】
すなわち、この実施の形態５に係る左右のバストカップ体４、５は、図２３に示すように、合成繊維からなる立体中空状の編地布１００をモールド成型することによって、女性の体のバストの形状に合うように、カップ部と身頃部とが一体的に形成されている。また、上記立体中空状の編地布１０は、立体二重編機を用いたダブルラッセル編等によって二層構造に形成されている。この立体中空状の編地布１００は、左右のバストカップ体４、５の表面側に位置し、凸側の面を構成する部分である表面層部１１１と、左右のバストカップ体４、５の裏面側に位置し、凹側の面を構成する部分である裏面層部１１２と、表面層部１１１と裏面層部１１２とをＸ字形状の連結糸１１３で接続するとともに、左右のバストカップ体４、５の空間を構成する部分である中間中空層部１１４とから構成されている。なお、上記中間中空層部１１４を構成するＸ字形状の連結糸１１３は、直線状に設けても、曲線状に設けてもどちらでも良い。また、上記立体中空状の編地布１００は、２層構造であっても、中間中空層部１１４を仕切り部によって仕切り、３層構造またはそれ以上の多層構造としてもよい。
【０１６６】
上記左右のバストカップ体４、５は、その身頃体部の表面層部１１１として伸張力を有しない綿糸等の自然素材からなあるソフトな構成とし、裏面層部１１２は、当該表面層部１１１よりも伸張力を持ったスパンデックス等の伸張力を有する糸使いとするのが望ましい。
【０１６７】
また、上記左右のバストカップ体４、５は、その連接体部４６、５６の剛性を高めるために、左右のバストカップ体４、５の連接体部４６、５６のみ剛性が高い糸を使用するように構成しても良い。
【０１６８】
さらに、記身頃体部は、図１３（ｃ）に示すように、例えば、その裏面層部側から微少な凹部を人体湾曲方向と交差するに沿って複数設けることにより、当該身頃体部の体側部における人体湾曲形状よりも曲率の大きな湾曲を有するように形成するのが望ましい。このように、身頃体部の体側部領域を形成することによって、背面側の身頃部によって背面側に引っ張る力を遮断することができ、バストの変形などを抑制することが可能となる。
【０１６９】
また、上記立体中空状の編地布１００には、その裏面側に裏地等の布地を部分的又は全体的に接着等の手段で設けるように構成して良い。
【０１７０】
その他の構成及び作用は、前記実施の形態と同様であるので、その説明を省略する。
【０１７１】
実施の形態６
図２４はこの発明の実施の形態６を示すものであり、前記実施の形態１と同一の部分には同一の符号を付して説明すると、この実施の形態６では、前記三次元構造体の前記連接体部は、前記膨出体部又は前記身頃体部に作用する力を受け止めて、前記膨出体部又は前記身頃体部が変形するのを抑制する面状の芯体を備えるように構成されている。
【０１７２】
すなわち、この実施の形態６に係る左右のバストカップ体４、５は、図２４に示すように、面状芯体６０を備えている。この面状芯体６０は、図２４に示すように、左右のバストカップ部２、３を、女性の人体に装着した状態を想定し、当該バストカップ部２、３の裾野に位置するバスト基底部８３を境として、当該バスト基底部８３のバスト側に位置する部分６１ａと、当該バスト基底部８２のバスト側に位置する部分を短い直線で近似したカップ線６１ｂと、当該カップ線６１ｂに対して所定の角度で連結され、かつカップ線６１ｂよりも女性の人体側に位置する部分を短い直線で近似した身頃線６１ｄとを、バストカップ部２、３の下方の端縁に沿って、複数（図示例では、５本）設定し、これら複数のカップ線６１ａ、６１ｂ、６１ｃ・・・と身頃線６２ａ、６２ｂ、６２ｃ・・・とを、図２２に示すように、バストカップ部２、３の裾野に位置するバスト基底部８２に沿って滑らかに連結するとともに、カップ線６１ａ、６１ｂ、６１ｃ・・・側に位置する曲面６３と、身頃線６２ａ、６２ｂ、６２ｃ・・・側に位置する曲面６４とを有する面状芯体６０が、合成樹脂やコーテイングした布地等によって形成されている。
【０１７３】
また、上記面状芯体６０は、図２４に示すように、極力、コーティング方式がベースになるが、フィルム状又は布帛体等なるものであっても良い。さらに、上記面状芯体６０の代わりに、ボーン状芯体として、射出成形方式等によるボーン構造を形成しても良い。また、図２４（Ｂ）に示すように、複数のカップ線６１ａ、６１ｂ、６１ｃ・・・と身頃線６２ａ、６２ｂ、６２ｃ・・・に対応して、図中の符号６５ａ、６５ｂ、６５ｃ・・・で示す断面形状を持たせることにより、より強度を高めるように構成しても良い。なお、基本的には、ワイヤー構造（線状）は飽くまでボーン状態の芯又は面状芯体のコーティング部に挿入又はサンドする方式にて採用（当然ハードなものではない）されるのが望ましい。なお、上記面状芯体６０は、射出成形によって形成しても良い。
【０１７４】
図２５は図２４に基づき図中央が図２２の乳房輪郭部（膨出部の下端縁）を面状芯体とした一例であり、上図は乳房領域側にその芯体領域を拡大した事例で、下図が逆に身頃骨格側を芯体領域とした事例であり、これら上下を一体に形成しても良い。
【０１７５】
また、上記面状芯体は、極力エッジを薄くすることが製品として望ましいが、乳房輪郭線に厚みを持たせることは、当該面状芯体の能力を高めるために望ましい。
【０１７６】
さらに、上記面状芯体を構成する材料は、弾性材料が望ましく、熱硬化性を有することが必要であるが、極力人体への抵抗を生じないように、熱セット後の弾性と表面の柔軟性を有することが望ましい。
【０１７７】
その他の構成及び作用は、前記実施の形態と同様であるので、その説明を省略する。
【０１７８】
図２６は更に変形例を示すものであり、この変形例では、左右のバストカップ体４、５にショルダーコード１７、１８が一体的に形成されている。
【０１７９】
なお、図５に示す実施の形態では、左右のバストカップ部２、３と左右の側布１２、１３とを一体化した場合について説明したが、図２９に示すように、左右のバストカップ部２、３と左右の側布１２、１３とを別体として形成し、互いに縫着や接着等の手段によって連結しても良い。
【０１８０】
また、左右のバストカップ部２、３と左右の側布１２、１３とを一体化した場合であっても、図３０（ａ）に示すように、左側のバストカップ部２と右側のバストカップ部３とを互いに連結する連結部材１０６を別途設けるように構成しても良い。また、図３０（ｂ）（ｃ）に示すように、左右のバストカップ部２、３の必要部位に合成樹脂からなるコーティング１０７ａ、１０７ｂ、１０７ｃを部分的に厚さを変えて設けるように構成したり、左右のバストカップ部２、３の表面側に部分によって厚さの異なる当て布１０８ａ、１０８ｂ、１０８ｃを設けるように構成しても良い。さらに、図３０（ｄ）は、パッド部材１０４を内部に設けた例や、図３０（ｅ）は、図２２に示す面状芯体１０９を適用した例を、図３０（ｆ）は、図２２と形状の異なる部分的に補強する面状芯体１１０を適用したものである。
【０１８１】
なお、前記実施の形態では、三次元構造体を用いた衣料としてブラジャーについて説明したが、本発明は、ブラジャーに限定されるものではなく、ロングラインブラ、スリーインワン、ブラキャミソール、ボディスリップ、水着、ランジェリー、並びにスポール関連ウェアー、あるいはアウターウェアーなどを含み、少なくとも女性の胸部を形成する女性用衣料に広く適用可能なことは勿論である。
【符号の説明】
【０１８２】
１：ブラッジャー、２、３：左右のバストカップ部、４、５：左右のバストカップ体。
【図１】
2013185259.tif 000003
【図２】
2013185259.tif 000004
【図３】
2013185259.tif 000005
【図４】
2013185259.tif 000006
【図５】
2013185259.tif 000007
【図６】
2013185259.tif 000008
【図７】
2013185259.tif 000009
【図８】
2013185259.tif 000010
【図９】
2013185259.tif 000011
【図１０】
2013185259.tif 000012
【図１１】
2013185259.tif 000013
【図１２】
2013185259.tif 000014
【図１３】
2013185259.tif 000015
【図１４】
2013185259.tif 000016
【図１５】
2013185259.tif 000017
【図１６】
2013185259.tif 000018
【図１７】
2013185259.tif 000019
【図１８】
2013185259.tif 000020
【図１９】
2013185259.tif 000021
【図２０】
2013185259.tif 000022
【図２１】
2013185259.tif 000023
【図２２】
2013185259.tif 000024
【図２３】
2013185259.tif 000025
【図２４】
2013185259.tif 000026
【図２５】
2013185259.tif 000027
【図２６】
2013185259.tif 000028
【図２７】
2013185259.tif 000029
【図２８】
2013185259.tif 000030
【図２９】
2013185259.tif 000031
【図３０】
2013185259.tif 000032
【図３１】
2013185259.tif 000033
【図３２】
2013185259.tif 000034
【図３３】
2013185259.tif 000035